(57)【要約】【課題】  本発明は洗顔を始めてからタオルで拭き終わるまでに、手から腕さらに肘から床へと流れ落ちる水を、すべて吸い上げてしまう幅広の高吸水素材と、衣類の濡れを防止する防水素材を縫い合わせた高吸水洗顔腕カバーを提供する。【解決手段】  防水素材の腕カバー部と、高吸水素材の吸水カバー部からなる筒状形のものである。本発明をはめて洗顔することによって、手から腕さらに肘から床に流れ落ちる水と水はねを、すべて吸い上げてくれる事を特徴とする高吸水洗顔腕カバーである。【選択図】      図１
2008133580.tif 000002
【特許請求の範囲】
【請求項１】
防水素材からなる腕カバー部と、高吸水素材からなる吸水カバー部が一体となった高吸水洗顔腕カバー。
【請求項２】
吸水カバー部の吸水量が１０ｇ以上であることを特徴とする請求項１記載の高吸水洗顔腕カバー。
【請求項３】
腕カバー部にポケット部を有し、ポケット部の開口部が吸水カバー部の方向にあることを特徴とする請求項１または２記載の高吸水洗顔腕カバー。
【請求項４】
おもて面は高吸水素材からなる吸水カバー部と、一部うら面の防水素材の折り返し部と、うら面は防水素材からなる防水カバー部と、袖口開口部の一部周面がおもて面の高給水素材部からなっていることを特徴とする。おもてうらの有する二重構成の一体となった請求項１または２記載の高吸水洗顔腕カバー。
【発明の詳細な説明】
【技術分野】
【０００１】
本発明は自然体で顔や手を洗う時に、手から腕さらに肘から床に流れ落ちる水や水はねをすべて吸い上げる事によって、衣類や床の濡れを防止する高吸水洗顔腕カバーに関するものである。
【背景技術】
【０００２】
従来の腕カバーは、洗顔時の水をカバーによってはじくしくみになっていて、洗顔後カバーに付いている水が、衣類や床を濡らさないために、必ず顔より先に腕カバーを拭かなければならないことが問題であった。(特許文献１)
他の腕カバーでは、洗顔石鹸で洗顔する場合、時間をかけて多量の水を使うため、腕カバーに付いている吸水素材の領域が少ないため吸いきれない水が隙間から漏れ腕を伝い少し衣類を濡らした。（特許文献２）
【０００３】
【特許文献１】特開平１０−１８１１３
【特許文献２】特開２００５−１８８０１４
【発明の開示】
【発明が解決しようとする課題】
【０００４】
顔のいろいろなトラブル予防に欠かせないのが洗顔であり、いかに自然体で衣類や床を濡らさないようにと気を使う事なく、洗顔することだけに集中できるのかを、本発明の課題とした。
【課題を解決するための手段】
【０００５】
本発明の課題を解決するための、防水素材からなる腕カバー部と高吸水素材からなる吸水カバー部が一体となった高吸水洗顔腕カバー。
【発明の効果】
【０００６】
本発明で提案する高吸水洗顔腕カバーをはめて自然体で洗顔すると、厚みと幅広でより吸水率を高めた高吸水素材の吸水カバー部が、洗顔時に手から腕そして肘に流れ落ちる水を、瞬時にすべて吸い上げてくれるので、床を濡らすことがない。また、腕カバー部の防水素材によって、吸水カバー部が吸い込んだ水の浸入を防いでくれるので、衣類を濡らすことがない。その結果床などを濡らすことに気を使わず、洗顔に集中する事が出来、発明の効果が得られる。また、小さな子供でも親の手助けも要らず同じ効果が得られる。
【発明を実施するための最良の形態】
【０００７】
次に本発明の実施形態を説明する。
本発明の吸水カバー部（１）の吸水量とは、水に2分間以上浸しそれを吊りあげて滴下間隔が、１０秒以上になった時の吸水カバー部の重量から乾燥時の重量を差し引いたときの値である。
更に本発明について詳細説明するが、本発明はこれらに限定されるものではない。
（イ）（図１）に示す高吸水洗顔腕カバーは、高吸水素材からなる吸水カバー部（１）と、防水素材からなる腕カバー部（２）とで、構成された筒状形のものである。
吸水カバー部（１）は、吸水率の高い綿素材、綿ニット、綿とポリエステルなどの製品からなる織編物など適用できるが中でも綿のタオル地が好ましい。吸水素材の吸水量を高める為に、幅１０センチ以上の吸水素材を折り返し開口部（図3１０）を二重にし、開口部は腕と吸水カバー部の隙間をなくす為、ゴム仕立てで内側にゴム入れ替え口を設けることが好ましい。他方の開口部は水はねを吸い取るためそのままのラッパ状形部とすることが好ましい。      
腕カバー部（２）は、ポリエステル、ナイロン、などの製品からなる織編物に防水加工、撥水加工された防水素材からなる筒状形のものである。腕カバー部（２）にポケット部（３）を有し、ポケット部の開口部（５）が吸水カバー部（１）の方向にある。ゴムループ（６）とぼたん（７）付きのポケット部（３）を設けて、洗顔後に濡れた吸水カバー部をまるめてポケット部に押し込み、残りの腕カバー部もポケット部に押し込み、ポケット部（３）に付いているゴムループをボタンにひっかけ止めることで、携帯も出来る。他方はゴム入り部（８）と玉つり紐付の長さ調整ひも（９）を有する
（二）（図５）に示す高吸水洗顔腕カバーはおもて面図（A）は高吸水素材からなる吸水カバー部（１１）と、うら面の防水カバー部（１２）の折り返し部（１３）からなり、うら面図（B）は防水素材からなる防水カバー部（１２）と、袖口開口部（１５）は高給水素材部（１４）からなるおもてうらの有する二重構成の一体となった高吸水洗顔腕カバー。
【実施例１】
【０００８】
吸水カバー（図２A）と防水カバー（図２Ｂ）を縫い合わせ、ゴム締めの筒状形とした、本体（図１）の高吸水洗顔腕カバーを構成させた。また（図５）に示すおもて面図（A）の吸水カバー部とうら面図（B）の防水カバー部を、縫い合わせ二重仕立てにした高吸水洗顔腕カバーを構成した。結果、自然体で顔だけに集中し、洗顔した後の衣類や床の濡れがなかった。
【実施例２】
【０００９】
着物を着た時も、着物のたもとがすっぽり入る大き目の高吸水洗顔腕カバーで洗顔した結果、自然体で顔だけに集中し、洗顔した後の衣類や床の濡れがなかった。
【産業上の利用可能性】
【００１０】
本発明の高吸水洗顔腕カバーは洗顔用として勿論、洗髪や炊事などの水作業にも好適に使用できる。
【図面の簡単な説明】
【００１１】
【図１】高吸水洗顔腕カバー  （A）正面図    （Ｂ）側面図
【図２】本発明の分解図  (A)吸水カバー部  （Ｂ）腕カバー部
【図３】本発明の断面図
【図４】本発明の装着図
【図５】高吸水洗顔腕カバー（一体型）  （A）おもて面図  （B）うら面図
【符号の説明】
【００１２】
１  吸水カバー部
２  腕カバー部
３  ポケット部
４  開口部
５  ポケット部の開口部
６  ゴムループ
７  ボタン
８  ゴム入り部
９  玉つり紐付き長さ調整ひも
１０  折り返し開口部詳細
１１  吸水カバー部
１２  防水カバー部
１３  防水素材の折り返し部
１４  高吸水素材部
１５  袖口の開口部
【図１】
2008133580.tif 000003
【図２】
2008133580.tif 000004
【図３】
2008133580.tif 000005
【図４】
2008133580.tif 000006
【図５】
2008133580.tif 000007
【手続補正書】
【提出日】平成19年3月28日(2007.3.28)
【手続補正１】
【補正対象書類名】特許請求の範囲
【補正対象項目名】請求項４
【補正方法】変更
【補正の内容】
【請求項４】
おもて面は高吸水素材からなる吸水カバー部と、一部うら面の防水素材の折り返し部と、うら面は防水素材からなる防水カバー部と、袖口開口部の一部周面がおもて面の高吸水素材部からなっていることを特徴とする。おもてうらの有する二重構成の一体となった請求項１または２記載の高吸水洗顔腕カバー。
【手続補正２】
【補正対象書類名】明細書
【補正対象項目名】０００７
【補正方法】変更
【補正の内容】
【０００７】
次に本発明の実施形態を説明する。
本発明の吸水カバー部（１）の吸水量とは、水に2分間以上浸しそれを吊りあげて滴下間隔が、１０秒以上になった時の吸水カバー部の重量から乾燥時の重量を差し引いたときの値である。
更に本発明について詳細説明するが、本発明はこれらに限定されるものではない。
（イ）（図１）に示す高吸水洗顔腕カバーは、高吸水素材からなる吸水カバー部（１）と、防水素材からなる腕カバー部（２）とで、構成された筒状形のものである。
（ロ）吸水カバー部（１）は、吸水率の高い綿素材、綿ニット、綿とポリエステルなどの製品からなる織編物など適用できるが中でも綿のタオル地が好ましい。吸水素材の吸水量を高める為に、幅１０センチ以上の吸水素材を折り返し開口部（１０）を二重にし、開口部は腕と吸水カバー部の隙間をなくす為、ゴム仕立てで内側にゴム入れ替え口を設けることが好ましい。他方の開口部は水はねを吸い取るためそのままのラッパ状形部とすることが好ましい。
（ハ）腕カバー部（２）は、ポリエステル、ナイロン、などの製品からなる織編物に防水加工、撥水加工された防水素材からなる筒状形のものである。腕カバー部（２）にポケット部（３）を有し、ポケット部の開口部（５）が吸水カバー部（１）の方向にある。ゴムループ（６）とぼたん（７）付きのポケット部（３）を設けて、洗顔後に濡れた吸水カバー部をまるめてポケット部に押し込み、残りの腕カバー部もポケット部に押し込み、ポケット部（３）に付いているゴムループをボタンにひっかけ止めることで、携帯も出来る。他方はゴム入り部（８）と玉つり紐付の長さ調整ひも（９）を有する。
（ニ）（図５）に示す高吸水洗顔腕カバーはおもて面図（Ａ）は高吸水素材からなる吸水カバー部（１１）と、うら面の防水カバー部（１２）の折り返し部（１３）からなり、うら面図（Ｂ）は防水素材からなる防水カバー部（１２）と、袖口開口部（１５）は高吸水素材部（１４）からなるおもてうらの有する二重構成の一体となった高吸水洗顔腕カバー。